(57)【要約】【課題】貯湯タンクの貯湯温水と熱交換することによって浴槽水を追い焚きするようにした貯湯式給湯装置において、追い焚き運転時間を短縮できるようにする。【解決手段】温水を貯湯する貯湯タンク２と、貯湯タンク２の貯湯温度を検出する貯湯温度センサ３３と、ふろ循環ポンプ２０を備え浴槽６の湯水を循環させるふろ循環回路２２と、ふろ循環回路２２途中に設けられ浴槽水を貯湯タンク２に貯められた温水で加熱する熱交換器１８とを備え、ふろ循環ポンプ２０を駆動して浴槽水を熱交換器１８に循環させて追い焚き運転するようにした貯湯式給湯装置において、追い焚き運転時に、貯湯温度センサ３３で検出する貯湯温度に基づく貯湯熱量が所定の熱量以上であるときはふろ循環ポンプ２０を通常より高い出力で駆動してパワフル追い焚き運転を行い、熱交換器１８への浴槽水の循環量を増加してふろの追い焚き時間を短縮することができるものである。【選択図】図１
2005090898.tif 000002
【特許請求の範囲】
【請求項１】
温水を貯湯する貯湯タンクと、この貯湯タンクの貯湯温度を検出する貯湯温度センサと、ふろ循環ポンプを備え浴槽の湯水を循環させるふろ循環回路と、このふろ循環回路途中に設けられ浴槽水を前記貯湯タンクに貯められた温水で加熱する熱交換器とを備え、前記ふろ循環ポンプを駆動して浴槽水を前記熱交換器に循環させて追い焚き運転するようにした貯湯式給湯装置において、前記追い焚き運転時に、前記貯湯温度センサで検出する貯湯温度に基づく貯湯熱量が所定の熱量以上であるときは前記ふろ循環ポンプを通常よりも高い出力で駆動してパワフル追い焚き運転を行うようにしたことを特徴とする貯湯式給湯装置。
【請求項２】
温水を貯湯する貯湯タンクと、この貯湯タンクの貯湯温度を検出する貯湯温度センサと、ふろ循環ポンプを備え浴槽の湯水を循環させるふろ循環回路と、このふろ循環回路途中に設けられ浴槽水を前記貯湯タンクに貯められた温水で加熱する熱交換器とを備え、前記ふろ循環ポンプを駆動して浴槽水を前記熱交換器に循環させて追い焚き運転するようにした貯湯式給湯装置において、前記追い焚き運転時に、前記貯湯温度センサで検出する貯湯温度が所定温度Ｔ１以上で、かつ前記所定温度Ｔ１より高い所定温度Ｔ２未満であるときは前記ふろ循環ポンプを通常の出力で駆動して追い焚き運転を行い、前記貯湯温度センサで検出する貯湯温度が前記所定温度Ｔ２以上であるときは前記ふろ循環ポンプを通常よりも高い出力で駆動してパワフル追い焚き運転を行うようにしたことを特徴とする貯湯式給湯装置。
【請求項３】
前記パワフル追い焚き運転中に、前記貯湯温度センサで検出する貯湯温度が前記所定温度Ｔ２以下まで低下したら、前記ふろ循環ポンプを通常の出力で駆動して追い焚き運転を行うようにした請求項２記載の貯湯式給湯装置。
【請求項４】
前記パワフル追い焚き運転中に、前記貯湯温度センサで検出する貯湯温度が前記所定温度Ｔ２より低く所定温度Ｔ１より高い所定温度Ｔ３以下まで低下したら、前記ふろ循環ポンプを通常の出力で駆動して追い焚き運転を行うようにした請求項２記載の貯湯式給湯装置。
【請求項５】
前記ふろ循環回路の前記熱交換器の上流側にふろ戻り温度センサを、下流側にふろ往き温度センサを設け、パワフル追い焚き運転中に、前記ふろ往き温度センサで検出する温度と前記ふろ戻り温度センサで検出する温度の差が所定値以下の場合、前記ふろ循環ポンプを通常の出力で駆動して追い焚き運転を行うようにした請求項２記載の貯湯式給湯装置。
【請求項６】
温水を貯湯する貯湯タンクと、この貯湯タンクの貯湯温度を検出する貯湯温度センサと、ふろ循環ポンプを備え浴槽の湯水を循環させるふろ循環回路と、このふろ循環回路途中に設けられ浴槽水を前記貯湯タンクに貯められた温水で加熱する熱交換器と、前記ふろ循環回路の前記熱交換器の上流側に設けられたふろ戻り温度センサとを備え、前記ふろ循環ポンプを駆動して浴槽水を前記熱交換器に循環させて追い焚き運転するようにした貯湯式給湯装置において、前記追い焚き運転時に、前記ふろ戻り温度センサの検出するふろ温度に基づいて算出される追い焚きに要する熱量Ｑ１と、前記貯湯温度センサで検出する貯湯温度に基づいて算出される追い焚きに使用できる貯湯熱量Ｑ２とに基づいて前記ふろ循環ポンプを通常よりも高い出力で駆動するパワフル追い焚き運転を行うか否かを判断するようにしたことを特徴とする貯湯式給湯装置。
【請求項７】
前記パワフル追い焚き運転中に、前記貯湯温度センサで検出する貯湯温度が所定温度Ｔ４以下まで低下したら、前記ふろ循環ポンプを通常の出力で駆動して追い焚き運転を行うようにした請求項６記載の貯湯式給湯装置。
【請求項８】
前記ふろ循環回路の前記熱交換器の下流側にふろ往き温度センサを設け、パワフル追い焚き運転中に、前記ふろ往き温度センサで検出する温度と前記ふろ戻り温度センサで検出する温度の差が所定値以下の場合、前記ふろ循環ポンプを通常の出力で駆動して追い焚き運転を行うようにした請求項６記載の貯湯式給湯装置。
【請求項９】
温水を貯湯する貯湯タンクと、この貯湯タンク内の貯湯水を加熱する加熱手段と、前記貯湯タンクの貯湯温度を検出する貯湯温度センサと、ふろ循環ポンプを備え浴槽の湯水を循環させるふろ循環回路と、このふろ循環回路途中に設けられ浴槽水を前記貯湯タンクに貯められた温水で加熱する熱交換器と、遠隔操作するリモコンとを備え、前記ふろ循環ポンプを駆動して浴槽水を前記熱交換器に循環させて追い焚き運転するようにした貯湯式給湯装置において、前記リモコンに追い焚き運転指示手段とパワフル追い焚き運転指示手段とを設け、前記パワフル追い焚き運転指示手段によりパワフル追い焚き運転の指示があったときには、追い焚き運転のときよりも前記ふろ循環ポンプを高い出力で駆動してパワフル追い焚き運転を行うようにしたことを特徴とする貯湯式給湯装置。
【請求項１０】
前記パワフル追い焚き運転中に前記貯湯温度センサの検出する貯湯温度が所定温度Ｔ５以下を検出すると、前記加熱手段を作動させるようにしたことを特徴とする請求項９記載の貯湯式給湯装置。
【請求項１１】
前記ふろ循環回路の前記熱交換器の上流側にふろ戻り温度センサを、下流側にふろ往き温度センサを設け、前記パワフル追い焚き運転中に、前記ふろ往き温度センサで検出する温度と前記ふろ戻り温度センサで検出する温度の差が所定値以下の場合、前記加熱手段を作動させるようにしたことを特徴とする請求項９記載の貯湯式給湯装置。
【発明の詳細な説明】
【技術分野】
【０００１】
本発明は、貯湯式タンクの貯湯温水を用いて浴槽の湯水を追い焚きする貯湯式給湯装置に関するものである。
【背景技術】
【０００２】
従来よりこの種の電気温水器やヒートポンプ貯湯式給湯装置においては、貯湯式タンクの貯湯温水を用いて浴槽の湯水を追い焚き可能とし、追い焚き指令があると、貯湯タンクに貯められた温水の温度を検出し、この温度が所定温度Ｔ１以上であれば、ふろ循環ポンプを駆動して浴槽水を熱交換器に循環させて追い焚き運転を行うようにしたものであった。
【特許文献１】特開２００３−５００４８号公報
【発明の開示】
【発明が解決しようとする課題】
【０００３】
しかし、この従来のものでは、追い焚き運転を行うときのふろ循環ポンプの出力は一定であって、追い焚きに要する時間を短縮することができないものであった。
【課題を解決するための手段】
【０００４】
そこで、本発明は上記課題を解決するため、請求項１では、温水を貯湯する貯湯タンクと、この貯湯タンクの貯湯温度を検出する貯湯温度センサと、ふろ循環ポンプを備え浴槽の湯水を循環させるふろ循環回路と、このふろ循環回路途中に設けられ浴槽水を前記貯湯タンクに貯められた温水で加熱する熱交換器とを備え、前記ふろ循環ポンプを駆動して浴槽水を前記熱交換器に循環させて追い焚き運転するようにした貯湯式給湯装置において、前記追い焚き運転時に、前記貯湯温度センサで検出する貯湯温度に基づく貯湯熱量が所定の熱量以上であるときは前記ふろ循環ポンプを通常よりも高い出力で駆動してパワフル追い焚き運転を行うようにしたものである。
【０００５】
また、請求項２では、温水を貯湯する貯湯タンクと、この貯湯タンクの貯湯温度を検出する貯湯温度センサと、ふろ循環ポンプを備え浴槽の湯水を循環させるふろ循環回路と、このふろ循環回路途中に設けられ浴槽水を前記貯湯タンクに貯められた温水で加熱する熱交換器とを備え、前記ふろ循環ポンプを駆動して浴槽水を前記熱交換器に循環させて追い焚き運転するようにした貯湯式給湯装置において、前記追い焚き運転時に、前記貯湯温度センサで検出する貯湯温度が所定温度Ｔ１以上で、かつ前記所定温度Ｔ１より高い所定温度Ｔ２未満あるときは前記ふろ循環ポンプを通常の出力で駆動して追い焚き運転を行い、前記貯湯温度センサで検出する貯湯温度が前記所定温度Ｔ２以上であるときは前記ふろ循環ポンプを通常よりも高い出力で駆動してパワフル追い焚き運転を行うようにしたものである。
【０００６】
また、請求項３では、前記請求項２のものにおいて、前記パワフル追い焚き運転中に、前記貯湯温度センサで検出する貯湯温度が前記所定温度Ｔ２以下まで低下したら、前記ふろ循環ポンプを通常の出力で駆動して追い焚き運転を行うようにしたものである。
【０００７】
また、請求項４では、前記請求項２のものにおいて、前記パワフル追い焚き運転中に、前記貯湯温度センサで検出する貯湯温度が前記所定温度Ｔ２より低く所定温度Ｔ１より高い所定温度Ｔ３以下まで低下したら、前記ふろ循環ポンプを通常の出力で駆動して追い焚き運転を行うようにしたものである。
【０００８】
また、請求項５では、前記請求項２のものにおいて、前記ふろ循環回路の前記熱交換器の上流側にふろ戻り温度センサを、下流側にふろ往き温度センサを設け、パワフル追い焚き運転中に、前記ふろ往き温度センサで検出する温度と前記ふろ戻り温度センサで検出する温度の差が所定値以下の場合、前記ふろ循環ポンプを通常の出力で駆動して追い焚き運転を行うようにしたものである。
【０００９】
また、請求項６では、温水を貯湯する貯湯タンクと、この貯湯タンクの貯湯温度を検出する貯湯温度センサと、ふろ循環ポンプを備え浴槽の湯水を循環させるふろ循環回路と、このふろ循環回路途中に設けられ浴槽水を前記貯湯タンクに貯められた温水で加熱する熱交換器と、前記ふろ循環回路の前記熱交換器の上流側に設けられたふろ戻り温度センサとを備え、前記ふろ循環ポンプを駆動して浴槽水を前記熱交換器に循環させて追い焚き運転するようにした貯湯式給湯装置において、前記追い焚き運転時に、前記ふろ戻り温度センサの検出するふろ温度に基づいて算出される追い焚きに要する熱量Ｑ１と、前記貯湯温度センサで検出する貯湯温度に基づいて算出される追い焚きに使用できる貯湯熱量Ｑ２とに基づいて前記ふろ循環ポンプを通常よりも高い出力で駆動するパワフル追い焚き運転を行うか否かを判断するようにしたものである。
【００１０】
また、請求項７では、前記請求項６のものにおいて、前記パワフル追い焚き運転中に、前記貯湯温度センサで検出する貯湯温度が所定温度Ｔ４以下まで低下したら、前記ふろ循環ポンプを通常の出力で駆動して追い焚き運転を行うようにしたものである。
【００１１】
また、請求項８では、前記請求項６のものにおいて、前記ふろ循環回路の前記熱交換器の下流側にふろ往き温度センサを設け、パワフル追い焚き運転中に、前記ふろ往き温度センサで検出する温度と前記ふろ戻り温度センサで検出する温度の差が所定値以下の場合、前記ふろ循環ポンプを通常の出力で駆動して追い焚き運転を行うようにしたものである。
【００１２】
また、請求項９では、温水を貯湯する貯湯タンクと、この貯湯タンク内の貯湯水を加熱する加熱手段と、前記貯湯タンクの貯湯温度を検出する貯湯温度センサと、ふろ循環ポンプを備え浴槽の湯水を循環させるふろ循環回路と、このふろ循環回路途中に設けられ浴槽水を前記貯湯タンクに貯められた温水で加熱する熱交換器と、遠隔操作するリモコンとを備え、前記ふろ循環ポンプを駆動して浴槽水を前記熱交換器に循環させて追い焚き運転するようにした貯湯式給湯装置において、前記リモコンに追い焚き運転指示手段とパワフル追い焚き運転指示手段とを設け、前記パワフル追い焚き運転指示手段によりパワフル追い焚き運転の指示があったときには、追い焚き運転のときよりも前記ふろ循環ポンプを高い出力で駆動してパワフル追い焚き運転を行うようにしたものである。
【００１３】
また、請求項１０では、前記請求項９のものにおいて、前記パワフル追い焚き運転中に前記貯湯温度センサの検出する貯湯温度が所定温度Ｔ５以下を検出すると、前記加熱手段を作動させるようにしたものである。
【００１４】
また、請求項１１では、前記請求項９のものにおいて、前記ふろ循環回路の前記熱交換器の上流側にふろ戻り温度センサを、下流側にふろ往き温度センサを設け、前記パワフル追い焚き運転中に、前記ふろ往き温度センサで検出する温度と前記ふろ戻り温度センサで検出する温度の差が所定値以下の場合、前記加熱手段を作動させるようにしたものである。
【発明の効果】
【００１５】
本発明の請求項１によれば、追い焚き運転時に、貯湯温度センサによって貯湯タンク内に十分な熱量があることを検出した場合には、ふろ循環ポンプを通常より高い出力で駆動してパワフル追い焚き運転を行うので、ふろの追い焚き時間を短縮することができるものである。
【００１６】
また、請求項２によれば、追い焚き運転時に、貯湯温度センサによって貯湯タンク内の貯湯温度が所定温度Ｔ１以上で、かつ所定温度Ｔ２未満であることを検出するとふろ循環ポンプを通常の出力で駆動して追い焚き運転を行い、所定温度Ｔ１より高い所定温度Ｔ２以上あることを検出すると、ふろ循環ポンプを通常より高い出力で駆動してパワフル追い焚き運転を行うので、貯湯タンク内に十分な熱量があるときはパワフル追い焚き運転によってふろの追い焚き時間を短縮することができるものである。
【００１７】
また、請求項３によれば、パワフル追い焚き運転中に、貯湯温度が所定温度Ｔ２より低下したら、貯湯タンク内の貯湯熱量がパワフル追い焚き運転に十分な量が残っていないと判断し、ふろ循環ポンプを通常より高い出力から通常の出力に戻して駆動し、通常の追い焚き運転を行うようにしたので、温度低下した貯湯タンク内の温水に対して適切な循環量に戻され十分に熱交換して効率的な追い焚き運転を行うことができるものである。
【００１８】
また、請求項４によれば、パワフル追い焚き運転中に、貯湯温度が所定温度Ｔ２より低く所定温度Ｔ１よりも高い所定温度Ｔ３以下まで低下したら、貯湯タンク内の貯湯熱量がパワフル追い焚き運転に十分な量が残っていないと判断し、ふろ循環ポンプを通常より高い出力から通常の出力に戻して駆動し、通常の追い焚き運転を行うようにしたので、温度低下した貯湯タンク内の温水に対して適切な循環量に戻され十分に熱交換して効率的な追い焚き運転を行うことができるものである。
【００１９】
また、請求項５によれば、パワフル追い焚き運転中に、熱交換器を通過した浴槽水の温度上昇が所定値以下である場合は、貯湯タンク内の貯湯熱量がパワフル追い焚き運転に十分な量が残っていないと判断し、ふろ循環ポンプを通常より高い出力から通常の出力に戻して駆動し、通常の追い焚き運転を行うようにしたので、温度低下した貯湯タンク内の温水に対して適切な循環量に戻され十分に熱交換して効率的な追い焚き運転を行うことができるものである。
【００２０】
また、請求項６によれば、追い焚き運転時に、追い焚きに必要な熱量Ｑ１と追い焚きに使用できる貯湯熱量Ｑ２とを算出し、これらを比較することでパワフル追い焚き運転を行うか否かを判断するようにし、追い焚きに必要な熱量Ｑ１に対し追い焚きに使用できる貯湯熱量Ｑ２が十分に余裕があるときに、ふろ循環ポンプを通常より高い出力で駆動してパワフル追い焚き運転を行い、ふろの追い焚き時間を短縮することができるものである。
【００２１】
また、請求項７によれば、パワフル追い焚き運転中に、貯湯温度が所定温度Ｔ４より低下したら、貯湯タンク内の貯湯熱量がパワフル追い焚き運転に十分な量が残っていないと判断し、ふろ循環ポンプを通常より高い出力から通常の出力に戻して駆動し、通常の追い焚き運転を行うようにしたので、温度低下した貯湯タンク内の温水に対して適切な循環量に戻され十分に熱交換して効率的な追い焚き運転を行うことができるものである。
【００２２】
また、請求項８によれば、パワフル追い焚き運転中に、熱交換器を通過した浴槽水の温度上昇が所定値以下である場合は、貯湯タンク内の貯湯熱量がパワフル追い焚き運転に十分な量が残っていないと判断し、ふろ循環ポンプを通常より高い出力から通常の出力に戻して駆動し、通常の追い焚き運転を行うようにしたので、温度低下した貯湯タンク内の温水に対して適切な循環量に戻され十分に熱交換して効率的な追い焚き運転を行うことができるものである。
【００２３】
また、請求項９によれば、追い焚き運転指示手段とパワフル追い焚き運転指示手段とを設け、パワフル追い焚き運転の指示があったときには、追い焚き運転のときよりも前記ふろ循環ポンプを高い出力で駆動してパワフル追い焚き運転を行うようにしたものであるので、通常の追い焚き運転とふろ循環ポンプを高い出力で駆動して追い焚き時間を短縮できるパワフル追い焚き運転とを選択して行わせることができる。
【００２４】
また、請求項１０によれば、パワフル追い焚き運転中に、貯湯温度が所定温度Ｔ５より低下したら、貯湯タンク内の貯湯熱量がパワフル追い焚き運転に十分な量が残っていないと判断し、加熱手段を作動させて貯湯タンク内の湯を沸き増しするようにしてふろの追い焚き時間を短縮することができる。
【００２５】
また、請求項１１によれば、パワフル追い焚き運転中に、熱交換器を通過した浴槽水の温度上昇が所定値以下である場合は、貯湯タンク内の貯湯熱量がパワフル追い焚き運転に十分な量が残っていないと判断し、加熱手段を作動させて貯湯タンク内の湯を沸き増しするようにしてふろの追い焚き時間を短縮することができる。
【発明を実施するための最良の形態】
【００２６】
本発明は、温水を貯湯する貯湯タンク２と、この貯湯タンク２の貯湯温度を検出する貯湯温度センサ３３と、ふろ循環ポンプ２０を備え浴槽６の湯水を循環させるふろ循環回路２２と、このふろ循環回路２２途中に設けられ浴槽水を前記貯湯タンク２に貯められた温水で加熱する熱交換器１８とを備え、前記ふろ循環ポンプ２０を駆動して浴槽水を前記熱交換器１８に循環させて追い焚き運転するようにした貯湯式給湯装置において、前記追い焚き運転時に、前記貯湯温度センサ３３で検出する貯湯温度に基づく貯湯熱量が所定の熱量以上であるときは前記ふろ循環ポンプ２０を通常よりも高い出力で駆動してパワフル追い焚き運転を行うようにした貯湯式給湯装置であって、貯湯タンク２内に十分な熱量がある場合には、ふろ循環ポンプ２０を通常より高い出力で駆動するパワフル追い焚き運転を実行して、熱交換器１８への浴槽水の循環量を増加してふろの追い焚き時間を短縮することができるものである。
【００２７】
なお、ここで前記貯湯熱量は熱量そのもののみを意味するのではなく、貯湯温度センサ３３が所定温度以上を検出している場合も、貯湯タンク２の容量は一定なので貯湯熱量が所定の熱量以上であることを検出しているのと同義であり、請求の範囲に含まれるものである。
【実施例１】
【００２８】
次に、本発明の実施例１について説明すると、この貯湯式給湯装置は、時間帯別契約電力の電力単価が安価な深夜時間帯に湯水を沸き上げて貯湯し、この貯湯した湯水を給湯に用いるもので、１は湯水を貯湯する貯湯タンク２を備えた貯湯タンクユニット、３は貯湯タンク内の湯水を加熱する加熱手段としてのヒートポンプユニット、４は台所や洗面所等に設けられた給湯栓、５はこの貯湯式給湯装置を遠隔操作するリモコン、６は浴槽である。
【００２９】
前記貯湯タンクユニット１の貯湯タンク２は、上端に出湯管７と、下端に給水管８とが接続され、さらに、下部にヒーポン循環回路を構成するヒーポン往き管９と、上部にヒーポン循環回路を構成するヒーポン戻り管１０とが接続され、前記ヒートポンプユニット３によってヒーポン往き管９から取り出した貯湯タンク２内の湯水を沸き上げてヒーポン戻り管１０から貯湯タンク２内に戻して貯湯され、給水管８からの給水により貯湯タンク２内の湯水が押し上げられて貯湯タンク２内上部の高温水が出湯管７から押し出されて給湯されるものである。
【００３０】
前記ヒートポンプユニット３は、圧縮機１１と凝縮器としての冷媒−水熱交換器１２と電子膨張弁１３と強制空冷式の蒸発器１４で構成されたヒートポンプ回路１５と、貯湯タンク２内の湯水を前記ヒーポン往き管９およびヒーポン戻り管１０を介して冷媒−水熱交換器１２に循環させるヒーポン循環ポンプ１６と、それらの駆動を制御するヒーポン制御部１７とを備えており、ヒートポンプ回路１５内には冷媒として二酸化炭素が用いられて超臨界ヒートポンプサイクルを構成しているものである。なお、冷媒に二酸化炭素を用いているので、低温水を電熱ヒータなしで約９０℃の高温まで沸き上げることが可能なものである。
【００３１】
ここで、前記冷媒−水熱交換器１２は冷媒と被加熱水たる貯湯タンク２内の湯水とが対向して流れる対向流方式を採用しており、超臨界ヒートポンプサイクルでは熱交換時において冷媒は超臨界状態のまま凝縮されるため効率良く高温まで被加熱水を加熱することができ、被加熱水の冷媒−水熱交換器１２入口温度と冷媒の出口温度との温度差が一定になるように前記電子膨張弁１２または圧縮機１１を制御することで、ＣＯＰ（エネルギー消費効率）がとても良い状態で被加熱水を加熱することが可能なものである。
【００３２】
次に、１８は前記浴槽６の湯水を加熱するためのステンレス製の蛇管よりなる熱交換器で、貯湯タンク２内の上部に配置されていると共に、この熱交換器１８にはふろ往き管１９およびふろ循環ポンプ２０を備えたふろ戻り管２１よりなるふろ循環回路２２が接続されて浴槽６の湯水が循環可能にされ、浴槽６内の湯水が貯湯タンク２内の高温水により加熱されて保温あるいは追い焚きが行われるものである。
【００３３】
２３はふろ戻り管２１を介して熱交換器１８に流入する浴槽水の温度を検出するふろ戻り温度センサ、２４は熱交換器１８を流出してふろ往き管１９を介して浴槽６へ流れる浴槽水の温度を検出するふろ往き温度センサである。
【００３４】
次に、２５は出湯管７からの湯と給水管９から分岐された給水バイパス管２６からの低温水を混合する電動ミキシング弁より構成された給湯混合弁であり、その下流の給湯管２７に設けた給湯温度センサ２８で検出した湯温がリモコン５でユーザーが設定した給湯設定温度になるように混合比率が制御されるものである。
【００３５】
２９は給湯管２７から分岐されてふろ戻り管２１に連通された湯張り管で、この湯張り管２９には、浴槽６への湯張りの開始／停止を行う湯張り弁３０と、浴槽６への湯張り量をカウントするふろ流量カウンタ３１と、浴槽水が給湯管２７へ逆流するのを防止する逆止弁３２とが設けられているものである。
【００３６】
次に、３３は貯湯タンク２の上下方向に複数個配置された貯湯温度センサで、この実施形態では５つの貯湯温度センサが配置され上から３３ａ、３３ｂ、３３ｃ、３３ｄ、３３ｅと呼び、この貯湯温度センサ３３が検出する温度情報によって、貯湯タンク２内にどれだけの熱量が残っているかを検知し、そして貯湯タンク２内の上下方向の温度分布を検知するものである。
【００３７】
前記リモコン５には、給湯設定温度を設定する給湯温度設定スイッチ３４、およびふろ設定温度を設定するふろ温度設定スイッチ３５がそれぞれ設けられていると共に、浴槽６へふろ設定温度の湯をリモコン５の湯張り量設定スイッチ（図示せず）で設定された湯張り量だけ湯張りし所定時間保温させるふろ自動スイッチ３６と、浴槽水を追い焚きさせる追い焚きスイッチ３７が設けられているものである。
【００３８】
３８は貯湯タンクユニット１内の各センサの入力を受け各アクチュエータの駆動を制御するマイコンを有し制御部を構成する給湯制御部である。この給湯制御部３８に前記リモコン５が無線または有線により接続されユーザーが任意の給湯設定温度およびふろ設定温度を設定できるようにしているものである。
【００３９】
なお、３９は貯湯タンク２の過圧を逃す過圧逃し弁、４０は給水の圧力を減圧する減圧弁、４１は給湯する湯水の量をカウントする給湯流量カウンタ、４２は給水の温度を検出する給水温度センサである。
【００４０】
次に、この実施例１の作動を説明する。
まず、深夜電力時間帯になって貯湯温度センサ３９が貯湯タンク２内に翌日に必要な熱量が残っていないことを検出すると、給湯制御部３８はヒーポン制御部１７に対して沸き上げ開始指令を発する。指令を受けたヒーポン制御部１７は圧縮機１１を起動した後にヒーポン循環ポンプ１６を駆動開始し、貯湯タンク２下部に接続されたヒーポン往き管９から取り出した５〜２０℃程度の低温水を冷媒−水熱交換器１２で７０〜９０℃程度の高温に加熱し、貯湯タンク２上部に接続されたヒーポン戻り管１０から貯湯タンク２内に戻し、貯湯タンク２の上部から順次積層して高温水を貯湯していく。貯湯温度センサ３３が必要な熱量が貯湯されたことを検出すると、給湯制御部３８はヒーポン制御部１７に対して沸き上げ停止指令を発し、ヒーポン制御部１７は圧縮機１１を停止すると共にヒーポン循環ポンプ１６も停止して沸き上げ動作を終了するものである。
【００４１】
次に、給湯運転について説明すると、給湯栓４を開くと、給水管８からの給水が貯湯タンク２内に流れ込む。そして貯湯タンク２に貯められた高温水が出湯管７を介して給湯混合弁２５へ流入し、給水バイパス管２６からの低温水と混合され、給湯制御部３８により給湯混合弁２８の混合比率が調整されて給湯設定温度の湯が給湯栓４から給湯される。そして、給湯栓４の閉止によって給湯が終了するものである。
【００４２】
次に、浴槽６への湯張り運転について説明すると、リモコン５のふろ自動スイッチ３６が操作されると、給湯制御部３８が湯張り弁３０を開弁する。そして、給湯混合弁２８によってふろ設定温度に調整された湯水が湯張り管２９からふろ戻り管２１を介して浴槽６へ湯張りされ、湯張り管２９途中に設けられたふろ流量カウンタ３１が所定の湯張り量をカウントすると給湯制御部３８が湯張り弁３０を閉弁して湯張り運転を終了するものである。
【００４３】
次に、ふろの追い焚き運転について図２に示すフローチャートに基づいて説明する。リモコン５の追い焚きスイッチ３７がＯＮされ、追い焚き運転の開始指示があると、給湯制御部３８は貯湯タンク２に取り付けられている貯湯温度センサ３３が検出する貯湯温度をチェックし、熱交換器１８の近傍の貯湯温度が熱交換能力に十分余裕のある所定温度Ｔ２（ここでは７５℃）以上であるかを判定する（ステップ１、以下Ｓ１と略す）。
【００４４】
そして、熱交換器１８近傍の貯湯温度が所定温度Ｔ２以上あると（Ｓ１でＹｅｓ）、給湯制御部３８はふろ循環ポンプ２０を通常より高い出力で駆動開始して（Ｓ２）、熱交換器１８に流入する浴槽水の循環量を通常より増加させて、貯湯タンク２内の上部に貯められた高温水と浴槽水とを熱交換させふろのパワフル追焚き運転を行う。
【００４５】
そして、パワフル追い焚き運転を開始した後に、貯湯温度センサ３３で検出する貯湯タンク２の貯湯温度が前記所定温度Ｔ２より下がっていないかを確認し（Ｓ３でＹｅｓ）、浴槽水の温度が目標追い焚き温度に達するまで追い焚き運転を継続する（Ｓ４）。
【００４６】
そして、ふろ戻り温度センサ２３で検出するふろ温度がふろ設定温度に達すると、給湯制御部３８はふろ循環ポンプ２０を駆動停止して（Ｓ５）、追い焚き運転を終了する（Ｓ６）ものである。
【００４７】
また、パワフル追い焚き運転中に貯湯温度が前記所定温度Ｔ２より低下した場合は（Ｓ３でＮｏ）、循環量を増したパワフル追い焚き運転では効率的に熱交換することができないので、ふろ循環ポンプ２０を通常の出力で駆動して（Ｓ７）、貯湯タンク２内の上部に貯められた高温水と循環量を通常に戻した浴槽水とを効率的に熱交換させふろの追焚き運転を行う。
【００４８】
そして、ふろ往き温度センサ２４で検出する温度とふろ戻り温度センサ２３で検出する温度の差が所定値以上で、浴槽水の加熱が効率的に行われていると判断し（Ｓ８でＹｅｓ）、浴槽水の温度が目標追い焚き温度に達するまで追い焚き運転を継続する（Ｓ９）。
【００４９】
そして、ふろ戻り温度センサ２３で検出する温度が追い焚き目標温度に達すると、給湯制御部３８はふろ循環ポンプ２０を駆動停止して（Ｓ５）、追い焚き運転を終了する（Ｓ６）ものである。
【００５０】
ここで、追い焚き運転中のふろ往き温度センサ２４で検出する温度とふろ戻り温度センサ２３で検出する温度の差が所定値以下となり、浴槽水の加熱が効率的に行われていないと判断されると（Ｓ８でＮｏ）、追い焚き運転を中止するものである（Ｓ１０）。
【００５１】
また、追い焚き運転の開始指示があったときに、貯湯温度センサ３３で検出する貯湯タンク２の熱交換器１８近傍の貯湯温度が所定温度Ｔ２（ここでは７５℃）より低く（Ｓ１でＮｏ）、前記所定温度Ｔ２より低い所定温度Ｔ１（ここでは６０℃）以上であれば（Ｓ１１でＹｅｓ）、ふろ循環ポンプ２０を通常の出力で駆動開始して（Ｓ７）、貯湯タンク２内の上部に貯められた高温水と浴槽水とを熱交換させふろの追焚き運転を行う。
【００５２】
そして、ふろ往き温度センサ２４で検出する温度とふろ戻り温度センサ２３で検出する温度の差が所定値以上で、浴槽水の加熱が効率的に行われていると判断し（Ｓ８でＹｅｓ）、浴槽水の温度が目標追い焚き温度に達するまで追い焚き運転を継続する（Ｓ９）。
【００５３】
そして、ふろ戻り温度センサ２３で検出する温度が追い焚き目標温度に達すると、給湯制御部３８はふろ循環ポンプ２０を駆動停止して（Ｓ５）、追い焚き運転を終了する（Ｓ６）ものである。
【００５４】
ここで、追い焚き運転中のふろ往き温度センサ２４で検出する温度とふろ戻り温度センサ２３で検出する温度の差が所定値以下となり、浴槽水の加熱が効率的に行われていないと判断されると（Ｓ８でＮｏ）、追い焚き運転を中止するものである（Ｓ１０）。
【００５５】
このように、貯湯タンク２の貯湯温度が所定温度Ｔ２より高いとき（貯湯タンク２内に十分な熱量があるとき）は、ふろ循環ポンプ２０を通常よりも高い出力で駆動するようにしているので、熱交換器１８への浴槽水の循環量を増加してふろの追い焚き時間を短縮することができるものである。
【００５６】
また、パワフル追い焚き運転を開始してから、熱交換器１８での熱交換あるいは貯湯タンク２内の高温水を給湯に使用した等の要因により貯湯温度センサ３３で検出する貯湯タンク２の熱交換器１８近傍の貯湯温度が所定温度Ｔ２より低下したことを検出し、貯湯タンク２内の貯湯熱量がパワフル追い焚き運転に十分な量が残っていないと判断した場合は、ふろ循環ポンプ２０を通常より高い出力から通常の出力に戻して駆動し、通常の追い焚き運転を行うようにしたので、温度低下した貯湯タンク２内の温水に対して適切な循環量に戻され十分に熱交換して高い温度の湯を浴槽６に戻すことができるものである。
【実施例２】
【００５７】
次に、本発明の実施例２について説明する。なお、先の実施例１と同一の構成についてはその説明を省略し、追い焚き運転を図３に示すフローチャートに基づいて説明する。
【００５８】
この実施例２では、パワフル追い焚き運転中に貯湯温度が前記所定温度Ｔ２より低く、前記所定温度Ｔ１より高い所定温度Ｔ３より低下した場合は（Ｓ１２でＮｏ）、循環量を増したパワフル追い焚き運転では効率的に熱交換することができないので、ふろ循環ポンプ２０を通常の出力で駆動して（Ｓ７）、貯湯タンク２内の上部に貯められた高温水と浴槽水とを効率的に熱交換させふろの追焚き運転を行う。
【００５９】
この実施例２では、パワフル追い焚き運転を開始してから、熱交換器１８での熱交換あるいは貯湯タンク２内の高温水を給湯に使用した等の要因により貯湯温度センサ３３で検出する貯湯タンク２の熱交換器１８近傍の貯湯温度が前記所定温度Ｔ２より低く、前記所定温度Ｔ１より高い所定温度Ｔ３より低下したことを検出し、貯湯タンク２内の貯湯熱量がパワフル追い焚き運転に十分な量が残っていないと判断した場合は、ふろ循環ポンプ２０を通常より高い出力から通常の出力に戻して駆動し、通常の追い焚き運転を行うようにしたので、温度低下した貯湯タンク２内の温水に対して適切な循環量に戻され十分に熱交換して高い温度の湯を浴槽６に戻すことができるものである。
【００６０】
また、その他の作動は先の実施例１と同じであるのでその説明を省略するが、貯湯タンク２の貯湯温度が所定温度Ｔ２より高いとき（貯湯タンク２内に十分な熱量があるとき）は、ふろ循環ポンプ２０を通常よりも高い出力で駆動するようにしているので、熱交換器１８への浴槽水の循環量を増加してふろの追い焚き時間を短縮することができるものである。
【実施例３】
【００６１】
次に、本発明の実施例３について説明する。なお、先の実施例１と同一の構成についてはその説明を省略し、追い焚き運転を図４に示すフローチャートに基づいて説明する。
【００６２】
この実施例３では、パワフル追い焚き運転中にふろ往き温度センサ２４で検出する温度とふろ戻り温度センサ２３で検出する温度の差が所定値以下となり、浴槽水の加熱が効率的に行われていないと判断されると（Ｓ１３でＮｏ）、循環量を増したパワフル追い焚き運転では効率的に熱交換することができないので、ふろ循環ポンプ２０を通常の出力で駆動して（Ｓ７）、貯湯タンク２内の上部に貯められた高温水と浴槽水とを効率的に熱交換させふろの追焚き運転を行う。
【００６３】
この実施例３では、パワフル追い焚き運転を開始してから、熱交換器１８での熱交換あるいは貯湯タンク２内の高温水を給湯に使用した等の要因により貯湯温度センサ３３で検出する貯湯タンク２の熱交換器１８近傍の貯湯温度が低下し、浴槽水の加熱が効率的に行われていないことをふろ往き温度センサ２４で検出する温度とふろ戻り温度センサ２３で検出する温度の差が所定値以下となったことで検出し、貯湯タンク２内の貯湯熱量がパワフル追い焚き運転に十分な量が残っていないと判断した場合は、ふろ循環ポンプ２０を通常より高い出力から通常の出力に戻して駆動し、通常の追い焚き運転を行うようにしたので、温度低下した貯湯タンク２内の温水に対して適切な循環量に戻され十分に熱交換して高い温度の湯を浴槽６に戻すことができるものである。
【００６４】
また、その他の作動は先の実施例１と同じであるのでその説明を省略するが、貯湯タンク２の貯湯温度が所定温度Ｔ２より高いとき（貯湯タンク２内に十分な熱量があるとき）は、ふろ循環ポンプ２０を通常よりも高い出力で駆動するようにしているので、熱交換器１８への浴槽水の循環量を増加してふろの追い焚き時間を短縮することができるものである。
【実施例４】
【００６５】
次に、本発明の実施例４について説明する。なお、先の実施例１と同一の構成についてはその説明を省略し、追い焚き運転を図５に示すフローチャートに基づいて説明する。
【００６６】
リモコン５の追い焚きスイッチ３７がＯＮされ、追い焚き運転の開始指示があると、給湯制御部３８はふろ循環ポンプ２０を通常の出力で駆動開始し（Ｓ１０１）、浴槽水を熱交換器１８に循環させてふろ追い焚き運転を開始する。
【００６７】
このとき、ふろ戻り温度センサ２３でふろ温度を検出し、追い焚き目標温度と予め入力されて記憶している浴槽容量とから追い焚きに必要な熱量Ｑ１を算出する（Ｓ１０２）。なお、前記浴槽容量はふろ循環回路２２途中に水位センサ（図示せず）を設け、検出水位と予め記憶されている浴槽断面積および浴槽６の底面から浴槽循環口（図示せず）までの容量とから現在の水量を算出して用いるとなお良いものである。
【００６８】
そして、貯湯温度センサ３３で検出する熱交換器１８近傍の貯湯温度および温度検出する熱交換器１８近傍の予め定められた容量から追い焚きに使用できる貯湯熱量Ｑ２を算出する（Ｓ１０３）。このとき、貯湯温度からふろ温度を減算した温度を用いて追い焚きに使用できる貯湯熱量Ｑ２を算出するとなお良いものである。
【００６９】
そして、追い焚きに必要な熱量Ｑ１に対して追い焚きに使用できる貯湯熱量Ｑ２が十分に余裕がある場合（Ｓ１０４でＹｅｓ）、具体的にはＱ２／Ｑ１が所定値（ここでは１．５）以上ある場合は、給湯制御部３８はふろ循環ポンプ２０を通常より高い出力で駆動開始して（Ｓ１０５）、熱交換器１８に流入する浴槽水の循環量を通常より増加させて、貯湯タンク２内の上部に貯められた高温水と浴槽水とを熱交換させふろのパワフル追焚き運転を行う。
【００７０】
そして、パワフル追い焚き運転を開始した後に、貯湯温度センサ３３で検出する貯湯タンク２の貯湯温度が所定温度Ｔ４（ここでは７０℃）より下がっていないかを確認し（Ｓ１０６でＹｅｓ）、浴槽水の温度が目標追い焚き温度に達するまで追い焚き運転を継続する（Ｓ１０７）。
【００７１】
そして、ふろ戻り温度センサ２３で検出するふろ温度がふろ設定温度に達すると（Ｓ１０７でＹｅｓ）、給湯制御部３８はふろ循環ポンプ２０を駆動停止して（Ｓ１０８）、追い焚き運転を終了する（Ｓ１０９）ものである。
【００７２】
また、パワフル追い焚き運転中に貯湯温度が前記所定温度Ｔ４より低下した場合は（Ｓ１０６でＮｏ）、循環量を増したパワフル追い焚き運転では効率的に熱交換することができないので、ふろ循環ポンプ２０を通常の出力で駆動して（Ｓ１１０）、貯湯タンク２内の上部に貯められた高温水と浴槽水とを効率的に熱交換させふろの追焚き運転を行う。
【００７３】
そして、ふろ往き温度センサ２４で検出する温度とふろ戻り温度センサ２３で検出する温度の差が所定値以上で、浴槽水の加熱が効率的に行われていると判断し（Ｓ１１１でＹｅｓ）、浴槽水の温度が目標追い焚き温度に達するまで追い焚き運転を継続する（Ｓ１１２）。
【００７４】
そして、ふろ戻り温度センサ２３で検出する温度が追い焚き目標温度に達すると（Ｓ１１２でＹｅｓ）、給湯制御部３８はふろ循環ポンプ２０を駆動停止して（Ｓ１０８）、追い焚き運転を終了する（Ｓ１０９）ものである。
【００７５】
ここで、追い焚き運転中のふろ往き温度センサ２４で検出する温度とふろ戻り温度センサ２３で検出する温度の差が所定値以下となり、浴槽水の加熱が効率的に行われていないと判断されると（Ｓ１１１でＮｏ）、追い焚き運転を中止するものである（Ｓ１１３）。
【００７６】
また、追い焚き運転を開始してから、追い焚きに必要な熱量Ｑ１に対して追い焚きに使用できる貯湯熱量Ｑ２が少しの余裕しかなく（Ｓ１０４でＮｏ）、具体的にはＱ２／Ｑ１が所定値（ここでは１．２）以上ある場合は（Ｓ１１４でＹｅｓ）、給湯制御部３８はふろ循環ポンプ２０を通常の出力で駆動開始して（Ｓ１１０）、貯湯タンク２内の上部に貯められた高温水と浴槽水とを熱交換させふろの追焚き運転を行うものである。
【００７７】
そして、ふろ往き温度センサ２４で検出する温度とふろ戻り温度センサ２３で検出する温度の差が所定値以上で、浴槽水の加熱が効率的に行われていると判断し（Ｓ１１１でＹｅｓ）、浴槽水の温度が目標追い焚き温度に達するまで追い焚き運転を継続する（Ｓ１１２）。
【００７８】
そして、ふろ戻り温度センサ２３で検出する温度が追い焚き目標温度に達すると（Ｓ１１２でＹｅｓ）、給湯制御部３８はふろ循環ポンプ２０を駆動停止して（Ｓ１０８）、追い焚き運転を終了する（Ｓ１０９）ものである。
【００７９】
ここで、追い焚き運転中のふろ往き温度センサ２４で検出する温度とふろ戻り温度センサ２３で検出する温度の差が所定値以下となり、浴槽水の加熱が効率的に行われていないと判断されると（Ｓ１１１でＮｏ）、追い焚き運転を中止するものである（Ｓ１１３）。
【００８０】
このように、貯湯タンク２内の追い焚きに使用できる貯湯熱量Ｑ２が追い焚きに必要な熱量Ｑ１に対して十分に余裕があるときは、ふろ循環ポンプ２０を通常よりも高い出力で駆動するようにしているので、熱交換器１８への浴槽水の循環量を増加してふろの追い焚き時間を短縮することができるものである。
【００８１】
また、パワフル追い焚き運転を開始してから、熱交換器１８での熱交換あるいは貯湯タンク２内の高温水を給湯に使用した等の要因により貯湯温度センサ３３で検出する貯湯タンク２の熱交換器１８近傍の貯湯温度が所定温度Ｔ２より低下したことを検出し、貯湯タンク２内の貯湯熱量がパワフル追い焚き運転に十分な量が残っていないと判断した場合は、ふろ循環ポンプ２０を通常より高い出力から通常の出力に戻して駆動し、通常の追い焚き運転を行うようにしたので、温度低下した貯湯タンク２内の温水に対して適切な循環量に戻され十分に熱交換して高い温度の湯を浴槽６に戻すことができるものである。
【実施例５】
【００８２】
次に、本発明の実施例５について説明する。なお、先の実施例４と同一の構成についてはその説明を省略し、追い焚き運転を図６に示すフローチャートに基づいて説明する。
【００８３】
この実施例５では、パワフル追い焚き運転中にふろ往き温度センサ２４で検出する温度とふろ戻り温度センサ２３で検出する温度の差が所定値以下となり、浴槽水の加熱が効率的に行われていないと判断されると（Ｓ１１５でＮｏ）、循環量を増したパワフル追い焚き運転では効率的に熱交換することができないので、ふろ循環ポンプ２０を通常の出力で駆動して（Ｓ１１０）、貯湯タンク２内の上部に貯められた高温水と浴槽水とを効率的に熱交換させふろの追焚き運転を行う。
【００８４】
この実施例５では、パワフル追い焚き運転を開始してから、熱交換器１８での熱交換あるいは貯湯タンク２内の高温水を給湯に使用した等の要因により貯湯温度センサ３３で検出する貯湯タンク２の熱交換器１８近傍の貯湯温度が低下し、浴槽水の加熱が効率的に行われていないことをふろ往き温度センサ２４で検出する温度とふろ戻り温度センサ２３で検出する温度の差が所定値以下となったことで検出し、貯湯タンク２内の貯湯熱量がパワフル追い焚き運転に十分な量が残っていないと判断した場合は、ふろ循環ポンプ２０を通常より高い出力から通常の出力に戻して駆動し、通常の追い焚き運転を行うようにしたので、温度低下した貯湯タンク２内の温水に対して適切な循環量に戻され十分に熱交換して高い温度の湯を浴槽６に戻すことができるものである。
【００８５】
また、その他の作動は先の実施例４と同じであるのでその説明を省略するが、貯湯タンク２内の追い焚きに使用できる貯湯熱量Ｑ２が追い焚きに必要な熱量Ｑ１に対して十分に余裕があるときは、ふろ循環ポンプ２０を通常よりも高い出力で駆動するようにしているので、熱交換器１８への浴槽水の循環量を増加してふろの追い焚き時間を短縮することができるものである。
【実施例６】
【００８６】
次に、本発明の実施例６について説明する。なお、先の実施例１と同一の構成についてはその説明を省略することとする。
【００８７】
この実施例６では、前記リモコン５に設けられた前記追い焚きスイッチ３７が追い焚き運転指示手段４３とパワフル追い焚き運転指示手段４４とを兼ねるもので、追い焚きスイッチ３７の短押し操作によって追い焚き運転指示手段４３が通常の追い焚き運転の開始を指示し、追い焚きスイッチ３７の長押し操作（ここでは３秒以上の継続押し）によってパワフル追い焚き運転指示手段４４がパワフル追い焚き運転の開始を指示するものである。
【００８８】
次に、この実施例６の追い焚き運転を図７に示すフローチャートに基づいて説明する。先ず、リモコン５の追い焚き運転スイッチ３７が操作され、ＯＮ状態が所定時間（ここでは３秒）以上継続して押されて（Ｓ２０１でＹｅｓ）、パワフル追い焚き運転指示手段４４によりパワフル追い焚き運転が指示されている場合は、給湯制御部３８はふろ循環ポンプ２０を通常より高い出力で駆動開始して（Ｓ２０２）、熱交換器１８に流入する浴槽水の循環量を通常より増加させて、貯湯タンク２内の上部に貯められた高温水と浴槽水とを熱交換させふろのパワフル追焚き運転を行う。
【００８９】
そして、パワフル追い焚き運転を開始した後に、貯湯温度センサ３３で検出する貯湯タンク２の貯湯温度がパワフル追い焚きが可能な所定温度Ｔ５（ここでは７０℃）より下がっていないかを確認し（Ｓ２０３でＹｅｓ）、浴槽水の温度が目標追い焚き温度に達するまで追い焚き運転を継続する（Ｓ２０４）。
【００９０】
そして、ふろ戻り温度センサ２３で検出するふろ温度がふろ設定温度に達すると、給湯制御部３８はふろ循環ポンプ２０を駆動停止して（Ｓ２０５）、追い焚き運転を終了する（Ｓ２０６）ものである。
【００９１】
また、パワフル追い焚き運転中に貯湯温度が前記所定温度Ｔ５より低下した場合は（Ｓ２０３でＮｏ）、給湯制御部３８がヒーポン制御部１７に対して沸き増し運転指令を出し、ヒートポンプユニット３を駆動して貯湯タンク２内の湯水を下部から取出して加熱し、貯湯タンク２の上部へ戻すようにして沸き増し運転を行い（Ｓ２０７）、パワフル追い焚き運転に足りない熱量を沸き増し運転により補充しながらパワフル追い焚きを行うようにしている。
【００９２】
また、リモコン５の追い焚き運転スイッチ３７が操作され、ＯＮ状態が所定時間（ここでは３秒）以下で（Ｓ２０１でＮｏ）、追い焚き運転指示手段４３により通常の追い焚き運転が指示されている場合は、給湯制御部３８はふろ循環ポンプ２０を通常の出力で駆動開始して（Ｓ２０８）、貯湯タンク２内の上部に貯められた高温水と浴槽水とを熱交換させふろの追焚き運転を行う。
【００９３】
そして、ふろ往き温度センサ２４で検出する温度とふろ戻り温度センサ２３で検出する温度の差が所定値以上で、浴槽水の加熱が効率的に行われていると判断し（Ｓ２０９でＹｅｓ）、浴槽水の温度が目標追い焚き温度に達するまで追い焚き運転を継続する（Ｓ２１０）。
【００９４】
そして、ふろ戻り温度センサ２３で検出する温度が追い焚き目標温度に達すると（Ｓ２１０でＹｅｓ）、給湯制御部３８はふろ循環ポンプ２０を駆動停止して（Ｓ２０５）、追い焚き運転を終了する（Ｓ２０６）ものである。
【００９５】
ここで、追い焚き運転中のふろ往き温度センサ２４で検出する温度とふろ戻り温度センサ２３で検出する温度の差が所定値以下となり、浴槽水の加熱が効率的に行われていないと判断されると（Ｓ２０９でＮｏ）、追い焚き運転を中止するものである（Ｓ２１１）。
【００９６】
このように、リモコン５からパワフル追い焚き運転指示があったときは、ふろ循環ポンプ２０を通常よりも高い出力で駆動するようにしているので、熱交換器１８への浴槽水の循環量を増加してふろの追い焚き時間を短縮することができるものである。
【００９７】
そして、パワフル追い焚き運転中に、熱交換器１８での熱交換あるいは貯湯タンク２内の高温水を給湯に使用した等の要因により貯湯温度センサ３３で検出する貯湯タンク２の熱交換器１８近傍の貯湯温度が所定温度Ｔ５より低下したことを検出し、貯湯タンク２内の貯湯熱量がパワフル追い焚き運転に十分な量が残っていないと判断した場合は、加熱手段としてのヒートポンプユニット３を駆動してパワフル追い焚き運転に足りない熱量を沸き増し運転により補充しながらパワフル追い焚きを行うようにして、ふろの追い焚き時間を短縮することができるものである。
【００９８】
また、リモコン５に追い焚き運転指示手段４３とパワフル追い焚き運転指示手段４４とを設けたので、ユーザー自身が追い焚きの仕方を選択でき、利便性が高いものである。そして、パワフル追い焚き運転指示手段４４によりパワフル追い焚き運転が指示された場合は、短時間で追い焚きが行われることをユーザーが望んでいるため、貯湯タンク２の熱量が減ってきたときに自動的に沸き増し運転が行われ、短時間で追い焚きを完了することができる。
【実施例７】
【００９９】
次に、本発明の実施例７について説明する。なお、先の実施例６と同一の構成についてはその説明を省略し、追い焚き運転を図８に示すフローチャートに基づいて説明する。
【０１００】
この実施例３では、パワフル追い焚き運転中にふろ往き温度センサ２４で検出する温度とふろ戻り温度センサ２３で検出する温度の差が所定値以下となり、浴槽水の加熱が効率的に行われていないと判断されると（Ｓ２１２でＮｏ）、給湯制御部３８がヒーポン制御部１７に対して沸き増し運転指令を出し、ヒートポンプユニット３を駆動して貯湯タンク２内の湯水を下部から取出して加熱し、貯湯タンク２の上部へ戻すようにして沸き増し運転を行い（Ｓ２０７）、パワフル追い焚き運転に足りない熱量を沸き増し運転により補充しながらパワフル追い焚きを行うようにしている。
【０１０１】
また、その他の作動は先の実施例６と同じであるのでその説明を省略するが、ユーザーによって追い焚きスイッチ３７が長押しされて、パワフル追い焚き運転指示手段４４によってパワフル追い焚き運転の開始が指示されると、ふろ循環ポンプ２０を通常よりも高い出力で駆動し、熱交換器１８への浴槽水の循環量を増加してふろの追い焚き時間を短縮することができるものである。
【０１０２】
なお、実施例１〜５において、パワフル追い焚き運転から通常の追い焚き運転にするときに、熱量不足で通常の追い焚き運転に移行した旨をリモコン５によって音声あるいは文字で報知するとなお良い。また、実施例６〜７において、パワフル追い焚き運転中に沸き増し運転を開始した旨をリモコン５によって音声あるいは文字で報知するとなお良いものである。
【０１０３】
また、実施例１〜７において、追い焚き運転の開始条件は、熱交換器１８に近接した貯湯温度センサ３３ｂの検出温度によって判断しているが、貯湯温度センサ３３ａの検出温度を取り入れたり、貯湯タンク２全体の熱量を判断に取り入れたりしても良いものである。
【０１０４】
また、実施例１〜７において、熱交換器１８を貯湯タンク２内に配置したが、これに限らず、熱交換器１８を貯湯タンク２外に配置し、貯湯温水を熱交換器１８に循環させる方式としても良いものである。また、貯湯水を加熱する手段としてヒートポンプ式を採用したが、これに限らず、貯湯タンク２内に電熱ヒータを配置したものでも良いものである。
【０１０５】
また、実施例６〜７において、追い焚き運転指示手段４３とパワフル追い焚き運転指示手段４４とを1つの追い焚きスイッチ３７で兼用した構成としているが、これに限らず、例えばパワフル追い焚きスイッチ（図示せず）を独立で設けたり、本体ＤＩＰスイッチによって追い焚きスイッチ３７が操作されたときに通常の追い焚きをするのかパワフル追い焚きをするのかを設定するようにしても良いものである。
【図面の簡単な説明】
【０１０６】
【図１】本発明の実施例１〜７の貯湯式給湯装置の概略構成図。
【図２】実施例１の追い焚き運転を説明するフローチャート。
【図３】実施例２の追い焚き運転を説明するフローチャート。
【図４】実施例３の追い焚き運転を説明するフローチャート。
【図５】実施例４の追い焚き運転を説明するフローチャート。
【図６】実施例５の追い焚き運転を説明するフローチャート。
【図７】実施例６の追い焚き運転を説明するフローチャート。
【図８】実施例７の追い焚き運転を説明するフローチャート。
【符号の説明】
【０１０７】
２  貯湯タンク
３  ヒートポンプユニット（加熱手段）
６  浴槽
１８  熱交換器
２０  ふろ循環ポンプ
２２  ふろ循環回路
２３  ふろ戻り温度センサ
２４  ふろ往き温度センサ
３３  貯湯温度センサ
３７（４３、４４）  追い焚きスイッチ
【図１】
2005090898.tif 000003
【図２】
2005090898.tif 000004
【図３】
2005090898.tif 000005
【図４】
2005090898.tif 000006
【図５】
2005090898.tif 000007
【図６】
2005090898.tif 000008
【図７】
2005090898.tif 000009
【図８】
2005090898.tif 000010